(57)【要約】【課題】本発明は、ディテント用凹部にボールを係合させることにより、各レバーの拘束と単独の動作とを達成することを目的とする。【解決手段】本発明によるローラ・カム方式のオーバライド機構は、各レバー(4、5)の各弧状カム板(6、7)の各ディテント用凹部(8、9)内にボール(14)を係合させて各レバー(4、5)を拘束し、各レバー(4、5)を回動させて各ディテント用凹部(8、9)から外れることにより各レバー(4、5)が単独動作を行うことができる構成である。【選択図】図２
2005235001.tif 000002
【特許請求の範囲】
【請求項１】
ケーシング(1)の軸受(2)に回転自在に設けられ互いに軸方向に沿って直列配置された第１、第２レバー(4、5)と、前記第１、第２レバー(4、5)の下部に突出して設けられ互いに接近して位置する第１、第２弧状カム板(6、7)と、前記第１弧状カム板(6)に設けられた第１ディテント用凹部(8)と、前記第２弧状カム板(7)に設けられた第２ディテント用凹部(9)と、前記ケーシング(1)に設けられ全体形状が凹状をなす保持体(10)と、前記保持体(10)内に作動自在に設けられ前記第１、第２ディテント用凹部(8、9)と係合するボール(14)とを備え、
前記第１、第２ディテント用凹部(8、9)内に前記ボール(14)が係合している場合は、前記第１、第２レバー（4、5)の回動は拘束され、前記ボール(14)が前記第１、第２ディテント用凹部(8、9)から離脱した場合には、前記ボール(14)が前記保持体(10)の奥部位置(15)に移動して係止され、前記第１、第２レバー（4、5)は前記拘束を解除されて互いに単独で回動できるように構成されていることを特徴とするローラ・カム方式のオーバライド機構。
【請求項２】
前記保持体(10)は前記ボール(14)の挿入によって拡開するように構成されていることを特徴とする請求項１記載のローラ・カム方式のオーバライド機構。
【請求項３】
前記保持体(10)には、前記保持体(10)の拡開を制限するためのロッド(11)とナット(12)が設けられていることを特徴とする請求項１又は２記載のローラ・カム方式のオーバライド機構。
【請求項４】
前記保持体(10)には、前記保持体(10)内に突出可能な復元用ネジ(23)が設けられ、前記復元用ネジ(23)を内部に螺入させることにより、前記保持体(10)内に係合した前記ボール(14)を前記復元用ネジ(23)によって前記保持体(10)から出る方向に移動させる構成としたことを特徴とする請求項１ないし３の何れかに記載のローラ・カム方式のオーバライド機構。
【発明の詳細な説明】
【技術分野】
【０００１】
本発明は、ローラ・カム方式のオーバライド機構に関し、特に、一対のレバーの各ディテント用凹部内にボールが係合した時は各レバーが拘束され、この係合が解除された時は各レバーが単独で作動できるようにするための新規な改良に関する。
【背景技術】
【０００２】
従来、用いられていたこの種のオーバライド機構としては、文献等は開示していないが、リニア方向に対するオーバライド機構が採用され、回転方向に対するオーバライド機構は採用されていないのが実情であった。
【発明の開示】
【発明が解決しようとする課題】
【０００３】
従来のオーバライド機構は、以上のように構成されていたため、次のような課題が存在していた。
すなわち、リニア型のオーバライド機構に対し、ロータリー型のオーバライド機構は採用されておらず、ロータリー型のオーバライド機構の開発が切望されていた。
【課題を解決するための手段】
【０００４】
本発明によるローラ・カム方式のオーバライド機構は、ケーシングの軸受に回転自在に設けられ互いに軸方向に沿って直列配置された第１、第２レバーと、前記第１、第２レバーの下部に突出して設けられ互いに接近して位置する第１、第２弧状カム板と、前記第１弧状カム板に設けられた第１ディテント用凹部と、前記第２弧状カム板に設けられた第２ディテント用凹部と、前記ケーシングに設けられ全体形状が凹状をなす保持体と、前記保持体内に作動自在に設けられ前記第１、第２ディテント用凹部と係合するボールとを備え、前記第１、第２ディテント用凹部内に前記ボールが係合している場合は、前記第１、第２レバーの回動は拘束され、前記ボールが前記第１、第２ディテント用凹部から離脱した場合には、前記ボールが前記保持体の奥部位置に移動して係止され、前記第１、第２レバーは前記拘束を解除されて互いに単独で回動できるようにした構成であり、また、前記保持体は前記ボールの挿入によって拡開するようにした構成であり、また、前記保持体には、前記保持体の拡開を制限するためのロッドとナットが設けられている構成であり、また、前記保持体には、前記保持体内に突出可能な復元用ネジが設けられ、前記復元用ネジを内部に螺入させることにより、前記保持体内に係合した前記ボールを前記復元用ネジによって前記保持体から出る方向に移動させる構成である。
【発明の効果】
【０００５】
本発明によるローラ・カム方式のオーバライド機構は、以上のように構成されているため、次のような効果を得ることができる。
すなわち、回動自在な一対のレバーの各弧状カム板にディテント用凹部が設けられ、このディテント用凹部にボールが係合している場合は各レバーが拘束され、前記係合が解除された場合はボールが各弧状カム板のカム面に乗り、各レバーは各々単独で回動作動が可能となり、ロックを解除する機構を持たなくても自在にロータリーオーバライド動作を得ることができる。
【発明を実施するための最良の形態】
【０００６】
本発明は、各レバーの弧状カム板に形成したディテント凹部にボールを係合させることにより各レバーを拘束し、ボールとの係合をなくすことにより各レバーを単独で作動させることを目的とする。
【実施例】
【０００７】
以下、図面と共に本発明によるローラ・カム方式のオーバライド機構の好適な実施の形態について説明する。
図１において、符号１で示されるものはケーシングであり、このケーシング１には、長手筒状に形成された軸受２を介して支持軸３が固定して設けられている。
【０００８】
前記軸受２には、第１、第２レバー４、５が回動自在に設けられ、この各レバー４、５は互いに接近して設けられていると共に、第１レバー４に設けられた第１弧状カム板６と第２レバー５に設けられた第２弧状カム板７とは、互いに接近して重合する状態で単独動作可能に構成されている。
【０００９】
前記第１弧状カム板６には、１個又は複数の第１ディテント用凹部８が設けられ、前記第２弧状カム板７には、１個又は複数の第２ディテント用凹部９が設けられている。
【００１０】
前記第１、第２ディテント用凹部８、９のピッチは同一（同一でない場合も可）であり、この各レバー４、５を図２のように垂直位置に合わせた場合には各ディテント用凹部８、９が同一位置となるように構成されている。
【００１１】
前記ケーシング１側には、図３で示されるように、全体形状が凹状をなす保持体１０が固定して設けられており、この保持体１０には複数のロッド１１が貫通され、このロッド１１の外端１１ａにはナット１２が螺合され、このナット１２の締め具合により前記保持体１０の開口１３の幅Ｗの大きさを調整できるように構成されている。
【００１２】
前記開口１３には１個のボール１４が矢印Ａの方向に沿って移動可能に設けられており、このボール１４が実線で示す位置では前記各ディテント用凹部８、９と係合することができる位置となり、このボール１４が点線で示される奥部位置１５に位置した時は、ボール１４がカム面２０と摺動できるように構成されている。
【００１３】
前記保持体１０の背部２１のネジ孔２２には棒状の復元用ネジ２３が螺合されており、この復元用ネジ２３を押入することによりボール１４を点線の位置から実線で示される位置に移動させることができるように構成されている。
【００１４】
次に、動作について述べる。まず、図２で示されるように各レバー４、５を同一位置に揃えた状態下で、復元用ネジ２３を押入すると、ボール１４が点線から実線で示される位置に移動し、ボール１４が各ディテント用凹部８、９に係合し各レバー４、５の回動は同時に拘束される。
【００１５】
前述の状態で、各レバー４、５の一方又は両方を回動させ、ボール１４が各ディテント用凹部８、９からはずれてカム面２０に摺接すると、この各ディテント用凹部８、９の底部とカム面２０との差分Ｄだけ奥側へ押され、ボール１４は実線から点線の位置において保持体１０に係合される。
【００１６】
従って、前述の状態で、各レバー４、５の回動は自在となり、各々単独で回動動作を行うことができ、各レバー４、５に接続された被駆動部材（図示せず）を各々駆動することができる。
【００１７】
次に、各レバー４、５を再び拘束するためには、各レバー４、５の各ディテント用凹部８、９が一致するように各レバー４、５を回動した後、復元用ネジ２３を押入することにより、この復元用ネジ２３の先端がボール１４を奥部位置１５から各ディテント用凹部８、９側へ移動させ、ボール１４が各ディテント用凹部８、９内へ係合して各レバー４、５の拘束が行われる。
【００１８】
尚、前述のボール１４を係合する保持体１０の開口１３の幅Ｗを、前述ナット１２を回転させることによって可変とすることができ、ボール１４の係合の具合を調節することができる。
【産業上の利用可能性】
【００１９】
本発明は、アクチュエータのみではなく、各種スイッチ等にも適用できる。
【図面の簡単な説明】
【００２０】
【図１】本発明によるローラ・カム方式のオーバライド機構を示す断面図である。
【図２】図１の右側面図である。
【図３】図３の要部の拡大図である。
【符号の説明】
【００２１】
１    ケーシング
２    軸受
３    支持軸
４、５    第１、第２レバー
６、７    第１、第２弧状カム板
８、９    第１、第２ディテント用凹部
１０    保持体
１１    ロッド
１２    ナット
１４    ボール
２０    カム面
２３    復元用ネジ
【図１】
2005235001.tif 000003
【図２】
2005235001.tif 000004
【図３】
2005235001.tif 000005